【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
アレルゲンバリア構造体として有用な積層体であって、
順に、
ａ）１８０〜４００の打込数を有する織布層、
ｂ）６〜１０ｇ／ｍ2の坪量を有し、平均直径１００〜４５０ｎｍの繊維からなる不織布アレルゲンバリア層、および
ｃ）トリコット編布層
を含み、
前記織布層は、第一の接着剤を前記アレルゲンバリア層の第一の面上の離れた複数領域に分布させることによって前記アレルゲンバリア層に取り付けられ、接着剤の前記離れた各領域は前記アレルゲンバリア層の厚さの少なくとも７０％内部に浸透し、また前記第一の接着剤は前記織布層の一方の面にも浸透するが、前記織布層を一方の面から他方の面へ貫通することはなく、かつ
前記トリコット編布層は、第二の接着剤を前記アレルゲンバリア層の第二の面上の離れた複数領域に分布させることによって前記アレルゲンバリア層に取り付けられ、接着剤の前記離れた各領域は前記アレルゲンバリア層の厚さの少なくとも７０％内部に浸透し、また前記第二の接着剤は前記トリコット編布層の一方の面にも浸透するが、前記トリコット編布層を一方の面から他方の面へ貫通することはなく、かつ
前記積層体が、５０〜３００ｇ／ｍ2の総坪量と、１．６Ｌ／分までの気流の１μｍ粒子の攻撃に対して、３５回の洗濯後にＡＳＴＭ  Ｆ２６３８−０７によって測定される９５％以上の濾過効率とを有する、
積層体。
【請求項２】
アレルゲンバリア構造体として有用な積層体の製造方法であって、
ａ）第一の面および反対側の第二の面を有するアレルゲンバリア層と、織布または編布のいずれかである第一の布層とを準備するステップ、
ｂ）少なくとも１種類の第一の接着剤を前記アレルゲンバリア層の前記第一の面上の離れた複数領域に塗布するステップであって、前記少なくとも１種類の第一の接着剤が前記アレルゲンバリア層に一方の面から他方の面へ前記アレルゲンバリア層の厚さの少なくとも７０％浸透するように選択される、ステップ、
ｃ）前記第一の布層を前記アレルゲンバリア層の前記第一の面に貼り付けるステップ、
ｄ）前記第一の布層と前記アレルゲンバリア層を一体化して予備積層体にするステップであって、前記少なくとも１種類の第一の接着剤の前記離れた各領域が前記第一の布層の一方の面の内部に延びるが、一方の面から他方の面へ前記布層を貫通しない、ステップ、
ｅ）ステップｄ）の前記予備積層体と、前記第一の布層が織布である場合は編布であり、または前記第一の布層が編布である場合は織布である第二の布層とを準備するステップ、
ｆ）前記少なくとも１種類の第一の接着剤と同一または異なる少なくとも１種類の第二の接着剤を前記アレルゲンバリア層の前記反対側の第二の面上の離れた複数領域に塗布するステップであって、前記少なくとも１種類の第二の接着剤が一方の面から他方の面へ前記アレルゲンバリア層の厚さの少なくとも７０％浸透するように選択される、ステップ、
ｇ）前記第二の布層を前記アレルゲンバリア層の前記反対側の第二の面に貼り付けるステップ、および
ｈ）前記第二の布層と前記予備積層体を一体化して積層体にするステップであって、少なくとも１種類の第二の接着剤の前記離れた各領域が前記第二の布層の一方の面の内部に延びるが、前記布層を一方の面から他方の面へ貫通しない、ステップ
を含む、方法。
【請求項３】
アレルゲンバリア構造体として有用な積層体の製造方法であって、
ａ）織布層、アレルゲンバリア層、および編布層を準備するステップ、
ｂ）少なくとも１種類の接着剤を、前記アレルゲンバリア層の第一の面上および反対側の第二の面上の離れた複数領域に塗布するステップであって、前記接着剤が前記アレルゲンバリア層に一方の面から他方の面へ前記アレルゲンバリア層の厚さの少なくとも７０％浸透するように選択される、ステップ、
ｃ）前記編布層を前記アレルゲンバリア層の前記第一の面に貼り付け、また前記織布層を前記アレルゲンバリア層の前記反対側の第二の面に貼り付けるステップ、および
ｄ）前記織布層、前記アレルゲンバリア層、および前記編布層を一体化して積層体にするステップであって、接着剤の前記離れた各領域が前記織布層の一方の面の内部にも、また前記編布層の一方の面の内部にも延びるが、どちらの布層も一方の面から他方の面へ貫通しない、ステップ
を含む、方法。
【手続補正２】
【補正対象書類名】明細書
【補正対象項目名】００６３
【補正方法】変更
【補正の内容】
【００６３】
表４
2013501656.tif 000001
次に、本発明の態様を示す。
1.  アレルゲンバリア構造体として有用な積層体であって、
順に、
ａ）１８０〜４００の打込数を有する織布層、
ｂ）６〜１０ｇ／ｍ2の坪量を有し、平均直径１００〜４５０ｎｍの繊維からなる不織布アレルゲンバリア層、および
ｃ）トリコット編布層
を含み、
前記織布層は、第一の接着剤を前記アレルゲンバリア層の第一の面上の離れた複数領域に分布させることによって前記アレルゲンバリア層に取り付けられ、接着剤の前記離れた各領域は前記アレルゲンバリア層の厚さの少なくとも７０％内部に浸透し、また前記第一の接着剤は前記織布層の一方の面にも浸透するが、前記織布層を一方の面から他方の面へ貫通することはなく、かつ
前記トリコット編布層は、第二の接着剤を前記アレルゲンバリア層の第二の面上の離れた複数領域に分布させることによって前記アレルゲンバリア層に取り付けられ、接着剤の前記離れた各領域は前記アレルゲンバリア層の厚さの少なくとも７０％内部に浸透し、また前記第二の接着剤は前記トリコット編布層の一方の面にも浸透するが、前記トリコット編布層を一方の面から他方の面へ貫通することはなく、かつ
前記積層体が、５０〜３００ｇ／ｍ2の総坪量と、１．６Ｌ／分までの気流の１μｍ粒子の攻撃に対して、３５回の洗濯後にＡＳＴＭ  Ｆ２６３８−０７によって測定される９５％以上の濾過効率とを有する、
積層体。
2.  前記第一および第二の接着剤が同一である、上記１に記載の積層体。
3.  前記積層体のはく離強度が０．５ポンド／インチ以上である、上記１に記載の積層体。
4.  前記不織布アレルゲンバリア層が、ナイロン、ポリエステル、ポリプロピレン、ポリウレタン、ポリオレフィン、およびこれらの混合物からなる群から選択されるポリマーから作られる繊維材料を含む、上記１に記載の積層体。
5.  前記ポリマーがナイロン６，６である、上記４に記載の積層体。
6.  前記積層体の前記通気度が５立方フィート／分以上である、上記１に記載の積層体。
7.  前記織布層が綿布またはポリコットン布である、上記１に記載の積層体。
8.  前記織布層が、ポリエステル繊維、ナイロン繊維、またはそれらの混合物からなる群から選択される繊維を含む、上記１に記載の積層体。
9.  前記編布層が、ポリエステル繊維、ナイロン繊維、またはそれらの混合物からなる群から選択される繊維を含む、上記１に記載の積層体。
10.  少なくとも前記第一または第二の接着剤が前記アレルゲンバリア層に浸透し、前記アレルゲンバリア層を一方の面から他方の面まで実質上貫通して連続している、上記１に記載の積層体。
11.  アレルゲンバリア構造体として有用な積層体の製造方法であって、
ａ）第一の面および反対側の第二の面を有するアレルゲンバリア層と、織布または編布のいずれかである第一の布層とを準備するステップ、
ｂ）少なくとも１種類の第一の接着剤を前記アレルゲンバリア層の前記第一の面上の離れた複数領域に塗布するステップであって、前記少なくとも１種類の第一の接着剤が前記アレルゲンバリア層に一方の面から他方の面へ前記アレルゲンバリア層の厚さの少なくとも７０％浸透するように選択される、ステップ、
ｃ）前記第一の布層を前記アレルゲンバリア層の前記第一の面に貼り付けるステップ、
ｄ）前記第一の布層と前記アレルゲンバリア層を一体化して予備積層体にするステップであって、前記少なくとも１種類の第一の接着剤の前記離れた各領域が前記第一の布層の一方の面の内部に延びるが、一方の面から他方の面へ前記布層を貫通しない、ステップ、
ｅ）ステップｄ）の前記予備積層体と、前記第一の布層が織布である場合は編布であり、または前記第一の布層が編布である場合は織布である第二の布層とを準備するステップ、
ｆ）前記少なくとも１種類の第一の接着剤と同一または異なる少なくとも１種類の第二の接着剤を前記アレルゲンバリア層の前記反対側の第二の面上の離れた複数領域に塗布するステップであって、前記少なくとも１種類の第二の接着剤が一方の面から他方の面へ前記アレルゲンバリア層の厚さの少なくとも７０％浸透するように選択される、ステップ、
ｇ）前記第二の布層を前記アレルゲンバリア層の前記反対側の第二の面に貼り付けるステップ、および
ｈ）前記第二の布層と前記予備積層体を一体化して積層体にするステップであって、少なくとも１種類の第二の接着剤の前記離れた各領域が前記第二の布層の一方の面の内部に延びるが、前記布層を一方の面から他方の面へ貫通しない、ステップ
を含む、方法。
12.  前記接着剤が、７５〜１２５℃で溶融状態において塗布されるホットメルト接着剤である、上記１１に記載の方法。
13.  前記接着剤がポリウレタンである、上記１１に記載の方法。
14.  アレルゲンバリア構造体として有用な積層体の製造方法であって、
ａ）織布層、アレルゲンバリア層、および編布層を準備するステップ、
ｂ）少なくとも１種類の接着剤を、前記アレルゲンバリア層の第一の面上および反対側の第二の面上の離れた複数領域に塗布するステップであって、前記接着剤が前記アレルゲンバリア層に一方の面から他方の面へ前記アレルゲンバリア層の厚さの少なくとも７０％浸透するように選択される、ステップ、
ｃ）前記編布層を前記アレルゲンバリア層の前記第一の面に貼り付け、また前記織布層を前記アレルゲンバリア層の前記反対側の第二の面に貼り付けるステップ、および
ｄ）前記織布層、前記アレルゲンバリア層、および前記編布層を一体化して積層体にするステップであって、接着剤の前記離れた各領域が前記織布層の一方の面の内部にも、また前記編布層の一方の面の内部にも延びるが、どちらの布層も一方の面から他方の面へ貫通しない、ステップ
を含む、方法。
15.  前記接着剤がポリウレタンである、上記１４に記載の方法。